(57)【要約】【課題】ＬＥＤディスプレイ技術・ＬＥＤ照明技術を活用することで、安価で簡単な回路構成により、多色発光可能な複数のＬＥＤランプを備えた電飾器具を、カラオケ装置で演奏される個々の伴奏音楽に合わせて多彩に変化させる機能と、伴奏音楽に合わせて歌う人の歌の巧拙に合わせて変化させる機能の両方を備えた高性能なカラオケ電飾システムを実現する。【解決手段】マイコン２１は、各ＬＥＤランプ４の輝度と色を規定する１２８個分のランプ制御データを、カラオケ装置１から供給される音楽連係データに基づいて生成することでランプの動的制御を行う。マイコン２１は、採点データに基づいて静的制御対象のランプ個数を決定し、全１２８個のＬＥＤランプ４のうち、その個数分のランプを静的制御対象として指定し、そのランプを消灯状態に維持する。【選択図】  図２
2011232639.tif 000002
【特許請求の範囲】
【請求項１】
カラオケ装置と、電飾器具と、電飾制御装置を備えたカラオケ電飾システムであって、
カラオケ装置は、カラオケデータに基づいて伴奏音楽を演奏する過程において、当該カラオケデータに基づく複数チャンネルの音楽連係データを電飾制御装置に送信し、
カラオケ装置は、カラオケデータに基づいて伴奏音楽を演奏する過程において、伴奏音楽に合わせて歌う人の歌声に基づいて歌の巧拙を評価した採点データを逐次生成して電飾制御装置に送信し、
電飾器具は、多色発光可能な複数個のＬＥＤランプを含み、
電飾制御装置は、電飾器具における各ＬＥＤランプを個別に発光制御可能であり、静的制御手段と、動的制御手段を含み、
電飾制御装置は、カラオケ装置から逐次受信する採点データに基づいて、採点データが悪いほどより多数のＬＥＤランプを静的制御対象として指定し、
静的制御手段は、静的制御対象として指定されたＬＥＤランプの状態を規定状態に維持し、
動的制御手段は、静的制御対象として指定されていないＬＥＤランプをカラオケ装置から逐次受信する音楽連係データに基づいて個別に発光制御し、各ＬＥＤランプの発光色および明滅動作を変化させる
カラオケ電飾システム。
【請求項２】
静的制御手段は、静的制御対象として指定されたＬＥＤランプの輝度をゼロまたは微小値に維持する
請求項１に記載のカラオケ電飾システム。
【請求項３】
動的制御手段は、静的制御対象として指定されていないＬＥＤランプの数が多いほど、これらＬＥＤランプの輝度を高くする
請求項１または２に記載のカラオケ電飾システム。
【請求項４】
動的制御手段は、静的制御対象として指定されていないＬＥＤランプの数が多いほど、これらＬＥＤランプの発光色の色数を多くする
請求項１〜３のいずれかに記載のカラオケ装置。
【発明の詳細な説明】
【技術分野】
【０００１】
この発明は、カラオケ場を装飾的に照明する多色発光可能な複数個のＬＥＤランプをカラオケデータに基づいて伴奏音楽に同調させるカラオケ電飾システムに関し、とくに、音伴奏音楽に合わせて歌う人の歌のうまさに応じて音楽同調電飾を変化させるようにしたシステムに関する。
【背景技術】
【０００２】
周知のように、音楽コンサートではステージ照明や電飾を音楽に合わせて変化させることは普通に行われてきた。そのため、音楽に合わせて自動的に照明や電飾さらにはディスプレイを制御するいろいろな技術も開発されてきた。たとえば、特開平７−２８９７４６号公報「音の変化を光の変化に変換する装置」、特許第３３８８５３０号公報「音楽演出用照明装置」、特開平４−１５１１９９号公報「アニメーション合成表示装置」、特開２００４−１６３７６７号公報「環境同期制御システム」などに種々の技術が開示されている。
【０００３】
もちろんカラオケの分野においても、カラオケデータに基づいて照明や電飾を音楽に合わせて自動的に変化させる照明制御技術が採用された。たとえば、特開平６−１９４８８号公報「カラオケ装置」、特開平７−３０２６８６号公報「カラオケ用照明制御装置」、特開平７−７３９７５号公報「照明制御装置」、特開平７−７３９７６号公報「照明制御装置」、特許第４２５７３００号公報「カラオケ端末装置」などに種々の技術が開示されている。
【０００４】
最近のカラオケ利用シーンにおいて顕著なことの１つに、歌唱力の採点システムに対する利用者の人気がきわめて高いことがある。その背景には、歌唱力の採点技術が著しく進歩し、カラオケ装置の採点能力に対する利用者の信頼感が高まったことがあげられる。装置が機械的に行う採点に対する人々の信頼感が高まったため、多くの人が自分の採点結果と他人の採点結果を比べ、競うことを楽しむようになった。特開２００４−２０６００９号公報や特開２００５−１０７０８７号公報には進歩した採点技術が詳しく解説されている。特開２００５−９９２８８号公報には採点結果を楽しく出力する技術が詳しく解説されている。
【０００５】
カラオケ伴奏音楽に合わせて歌っている人の採点データに基づいて、歌の巧拙により照明を変化させるシステムも開発された。その詳細が特開平９−１６６９９２号公報に開示されている。このシステムにおいては、複数種類の照明の明るさやミラーボールの回転・停止などを歌唱中に逐次出力される採点データに基づいて変化させ、採点データが良いほど明るく華やかな照明環境を創出し、採点データが悪いと暗く陰鬱な照明環境にするように構成されている。
【発明の開示】
【発明が解決しようとする課題】
【０００６】
この発明の目的は、さいきん顕著に進歩したＬＥＤディスプレイ技術・ＬＥＤ照明技術を活用することで、安価で簡単な回路構成により、多色発光可能な複数のＬＥＤランプを備えた電飾器具を、カラオケ装置で演奏される個々の伴奏音楽に合わせて多彩に変化させる機能と、伴奏音楽に合わせて歌う人の歌の巧拙に合わせて変化させる機能の両方を備えた高性能なカラオケ電飾システムを実現することにある。
【課題を解決するための手段】
【０００７】
この発明に係るカラオケ電飾システムは、基本的に、つぎの事項（１）〜（８）により特定されるものである。
（１）カラオケ装置と、電飾器具と、電飾制御装置を備えたカラオケ電飾システムであること
（２）カラオケ装置は、カラオケデータに基づいて伴奏音楽を演奏する過程において、当該カラオケデータに基づく複数チャンネルの音楽連係データを電飾制御装置に送信すること
（３）カラオケ装置は、カラオケデータに基づいて伴奏音楽を演奏する過程において、伴奏音楽に合わせて歌う人の歌声に基づいて歌の巧拙を評価した採点データを逐次生成して電飾制御装置に送信すること
（４）電飾器具は、多色発光可能な複数個のＬＥＤランプを含むこと
（５）電飾制御装置は、電飾器具における各ＬＥＤランプを個別に発光制御可能であり、静的制御手段と、動的制御手段を含むこと
（６）電飾制御装置は、カラオケ装置から逐次受信する採点データに基づいて、採点データが悪いほどより多数のＬＥＤランプを静的制御対象として指定すること
（７）静的制御手段は、静的制御対象として指定されたＬＥＤランプの状態を規定状態に維持すること
（８）動的制御手段は、静的制御対象として指定されていないＬＥＤランプをカラオケ装置から逐次受信する音楽連係データに基づいて個別に発光制御し、各ＬＥＤランプの発光色および明滅動作を変化させること
【０００８】
この発明においては、以下の構成を適宜に採用することが望ましい。
（Ａ）静的制御手段は、静的制御対象として指定されたＬＥＤランプの輝度をゼロまたは微小値に維持すること
（Ｂ）動的制御手段は、静的制御対象として指定されていないＬＥＤランプの数が多いほど、これらＬＥＤランプの輝度を高くすること
（Ｃ）動的制御手段は、静的制御対象として指定されていないＬＥＤランプの数が多いほど、これらＬＥＤランプの発光色の色数を多くすること
【図面の簡単な説明】
【０００９】
【図１】実施例におけるカラオケ電飾システムの概略図である。
【図２】実施例における電飾制御装置と電飾器具の構成図である。
【実施例】
【００１０】
＝＝＝システムの前提的な構成＝＝＝
この発明に係るカラオケ電飾システムの概要を図１に示している。カラオケ装置１は基本的に周知慣用のカラオケ装置と同等の構成を備えるものであり、この明細書において周知慣用のカラオケ技術についての記述は必要最小限に留める。
【００１１】
この発明において、カラオケ装置１は、カラオケデータに基づいて伴奏音楽を演奏する過程において、当該カラオケデータに基づく複数チャンネルの音楽連係データを電飾制御装置２に送信する。また、カラオケ装置１は、カラオケデータに基づいて伴奏音楽を演奏する過程において、伴奏音楽に合わせて歌う人の歌声に基づいて歌の巧拙を評価した採点データを逐次生成して電飾制御装置２に送信する。
【００１２】
電飾制御装置２は、カラオケ装置１から逐次受信する音楽連係データに基づいて電飾器具３における各ＬＥＤランプの制御データを逐次生成する。図２に示すように、電飾器具３は、多色発光可能な複数のＬＥＤランプ４を備えており、これらのＬＥＤランプ４の輝度と色が電飾制御装置２により個別に制御される。
【００１３】
カラオケデータは、ＭＩＤＩなどの電子楽譜形式の音楽生成データを主体に構成されている。音楽連係データは、カラオケデータを構成している複数の楽器のパートデータの中から抽出したいくつかの楽器のパートデータである。たとえば、演奏中の楽曲のリズム構造（拍節構造）を代表する時系列情報として、カラオケデータ中のドラムパートデータを音楽連係データの１つとして抽出する。また、演奏中の楽曲の和声進行を代表する時系列情報として、カラオケデータ中のベースパートデータを音楽連係データの１つとして抽出する。同様にして、楽曲の音楽的構成を代表する時系列情報として、前奏や間奏で活躍するメロディ楽器のパートデータを音楽連係データとして抽出する。
【００１４】
好ましい実施例としては、各楽曲のカラオケデータからどのパートのデータを音楽連係データとして抽出するのかを、各楽曲ごとのカラオケデータの付加情報としてあらかじめ設定しておく。また、音楽同調電飾を実現するための専用の音楽連係データを各楽曲に合わせてあらかじめ作成し、これをカラオケデータの１つのパートデータとして含めておく実施例も好ましい。ただしカラオケデータの特定のいくつかの楽器のパートデータを音楽連係データとして抽出する実施例でもよい。
【００１５】
＝＝＝ＬＥＤランプの動的制御＝＝＝
電飾器具３の実施例について説明する。電飾器具３は、１２８個のＬＥＤランプ４を備えている。ＬＥＤランプ４は赤色ＬＥＤ・緑色ＬＥＤ・青色ＬＥＤを含んだ集合ランプであり、３原色ＬＥＤの各輝度を多階調に変化させることで、ＬＥＤランプ４の輝度と色を変化させることができる。
【００１６】
図２に示すように、電飾制御装置２は、マイコン２１と定電流ドライバ２２を備えている。定電流ドライバ２２は、１２８個のＬＥＤランプ４の赤色ＬＥＤ・緑色ＬＥＤ・青色ＬＥＤを駆動する合計３８４個の出力端子があり、各出力端子に接続されたＬＥＤに所定時間だけ定電流が通電され、通電時間によりＬＥＤの輝度が調整される。つまり、各ＬＥＤは定電流のパルス幅制御（ＰＷＭ制御）により発光駆動される。
【００１７】
マイコン２１は、３８４個の各ＬＥＤの輝度データとして４ビットのデータ（１６階調を表現可能）を生成して定電流ドライバ２２に直列入力してラッチさせる。この動作を１／６０秒の周期で繰り返し行う。つまりマイコン２１は、１秒間に６０回の繰り返し周期で、１個のＬＥＤランプ４の輝度と色を指定する４×３＝１２ビットのランプ制御データを１２８個分生成して定電流ドライバ２２にラッチし、１２８個のＬＥＤランプ４の輝度と色を変化させることができる。
【００１８】
マイコン２１は、１／６０秒の周期で実行する処理により、各ＬＥＤランプ４の輝度と色を規定する１２８個分のランプ制御データを、カラオケ装置１から供給される音楽連係データに基づいて生成する。これにより、１２８個のＬＥＤランプ４の輝度と色の変化が織りなす電飾を、カラオケ装置１にて演奏されている伴奏音楽に同調させる。
【００１９】
１２８個のＬＥＤランプ４の輝度と色の変化が織りなす電飾を音楽連係データに基づいて伴奏音楽に同調させる処理としては、多くの技術文献に開示されているとおり、いろいろな方式が考えられる。たとえば、マイコン２１において、各ＬＥＤランプ４ごとに異なる制御関数をプログラムしておき、各制御関数のパラメータに適宜に音楽連係データをとりいれてランプ制御データを計算するとともに、各ＬＥＤランプと各制御関数の対応関係を適宜な音楽連係データに基づいて組み替えるようにする。
【００２０】
これにより、楽曲のリズム構造（拍節構造）を反映した音楽連係データに基づいてＬＥＤランプの明滅表現を生みだし、楽曲の和声進行を反映した照明色の組み合わせを生みだし、楽曲の音量変化を反映した光量変化を生みだし、楽曲中の前奏や間奏における独奏楽器の演奏を反映した照明光の移動・収束・拡散といった表現を生みだす。実施例のように１／６０秒の周期でランプ制御データを更新するので、きわめてスピード感のある躍動する音楽同調電飾を生みだすことができる。これをＬＥＤランプ４の動的制御と称する。
【００２１】
＝＝＝静的制御の導入＝＝＝
この発明は、上記の動的制御を行うことに加えて、静的制御という考え方をも採り入れたことに特徴を有するものである。つまり、上記の説明においては電飾器具３の１２８個のＬＥＤランプ４のすべてを音楽連係データに基づいて動的制御するように説明しているが、必ずしもそのように制御するのではなく、１２８個のＬＥＤランプ４の中の一部のランプは動的制御の対象から外され、静的制御の対象となる。
【００２２】
ＬＥＤランプ４の静的制御とは、典型的には、ＬＥＤランプ４を消灯状態に維持することである。あるいは、ＬＥＤランプ４を発光させるものの微小な輝度に維持する制御である。１２８個のＬＥＤランプ４のすべてを上述のように動的制御すると、電飾器具４はもっとも華やかな状態になる。１２８個のうちのたとえば７８個のＬＥＤランプ４を静的制御の対象として消灯状態に維持すると、動的制御されるＬＥＤランプ４は残る５０個であるから、その華やかさは大幅に減少することになる。
【００２３】
＝＝＝採点データと静的制御対象のランプ個数＝＝＝
この発明では、カラオケ装置１は、カラオケデータに基づいて伴奏音楽を演奏する過程において、伴奏音楽に合わせて歌う人の歌声に基づいて歌の巧拙を評価した採点データを逐次生成して電飾制御装置２に送信する。電飾制御装置２のマイコン２１は、受信した採点データに基づいて、採点データが悪いほどより多数のＬＥＤランプ４を静的制御対象に指定する。採点データとランプ個数との関係は一律に決めておいても良いし、何らかの変動要因を加味しても良い。
【００２４】
＝＝＝静的制御対象の指定＝＝＝
電飾制御装置２のマイコン２１は、採点データに基づいて静的制御対象のランプ個数を決定したならば、全１２８個のＬＥＤランプ４のうち、その個数分のランプを静的制御対象として指定する。静的制御対象のランプ個数がたとえば７８個であるとすると、全１２８個のＬＥＤランプ４のうち、ランダムに選出した７８個のランプを静的制御対象として指定する。この選出方法はランダムに限らず、全１２８個のＬＥＤランプ４の配置などに関連づけした何らかの規則性を持たせても良い。静的制御対象のランプ指定を動的に変化させても良い。
【００２５】
上述したように、マイコン２１は、１／６０秒の周期で実行する処理により、各ＬＥＤランプ４の輝度と色を規定する１２８個分のランプ制御データを、カラオケ装置１から供給される音楽連係データに基づいて生成するところ、静的制御対象として指定された複数のＬＥＤランプ４についての動的制御によるランプ制御データは無視して出力せず、代わりに該当ＬＥＤランプ４を消灯させる制御データ（４×３＝１２ビットをオールゼロ）を出力する。もちろん静的制御対象のランプについては動的制御のランプ制御データの演算を行わずにオールゼロを出力しても良い。
【００２６】
カラオケ装置１は所定の採点区間ごとに歌の巧拙を評価した採点データを電飾制御装置２に与えるので、利用者がカラオケ歌唱をしている過程において、静的制御対象（消灯状態に維持される）のＬＥＤランプ４の個数が変化し、歌が上手に歌えているとカラオケ装置１が採点した場合は音楽同調電飾の華やかさが増し、あまり上手に歌えていないとカラオケ装置１が採点した場合は音楽同調電飾の華やかさが低下してくる。そのため、歌っている人も聴いている人も、音楽同調電飾の楽しさと歌唱採点の楽しさを満喫することができる。
【００２７】
この発明による歌唱採点を反映した音楽同調電飾のスリリングな楽しさは、静的制御対象として指定されていないＬＥＤランプ４の個数が多いほど、これらＬＥＤランプ４の輝度を高くするように構成したり、さらに、静的制御対象として指定されていないＬＥＤランプ４の個数が多いほど、これらＬＥＤランプ４の発光色の色数を多くするように構成することで、よりいっそう際立ったものとなる。
【図１】
2011232639.tif 000003
【図２】
2011232639.tif 000004